(57)【要約】【課題】埋込具をボードに埋め込む埋込作業が容易で良好に実行できボードの厚さによらず高い作業効率で行えるボード埋込装置のボード埋込具(50)を提供する。【解決手段】板材により形成されボード埋込装置を装着する装着手段（51a）を有する基部(51)と、基部(51)の端部に連結し基部(51)に対する一方の側に延出する複数の脚部(52)と、複数の脚部(52)それぞれの先端に連結して外方に張り出す複数の鍔部(53)と、複数の脚部(52)それぞれにおける一側端部(52a)に連結しその連結部(54b)から脚部(52)の延在面に対して内方に延出すると共に先端部に基部(51)から遠ざかる方向に延出する延出部(55)を有する複数の腕部(54)と、を備える。【選択図】図２
2010177857.tif 000002
【特許請求の範囲】
【請求項１】
ボード埋込装置をボードに設けられた孔に埋め込むためのボード埋込装置の埋込具であって、
板材により形成され前記ボード埋込装置を装着する装着手段を有する基部と、
前記基部の端部に連結し前記基部に対する一方の側に延出する複数の脚部と、
前記複数の脚部それぞれの先端に連結して外方に張り出す複数の鍔部と、
前記複数の脚部それぞれにおける一側端部に連結しその連結部から前記脚部の延在面に対して内方に延出すると共に先端部に前記基部から遠ざかる方向に延出する延出部を有する複数の腕部と、
を備えたことを特徴とするボード埋込装置の埋込具。
【請求項２】
前記連結部は、前記腕部の前記脚部に対する折り曲げを容易にする折り曲げ容易部を有することを特徴とする請求項１記載のボード埋込装置の埋込具。
【請求項３】
前記延出部には、部分的に断面積が小さい屈曲誘導部が形成されていることを特徴とする請求項２記載のボード埋込装置の埋込具。
【請求項４】
電気部品または電子部品を搭載したベース部と、前記ベース部に取り付けられた埋込具と、を具備し、ボードに設けられた孔に埋め込まれるボード埋込装置において、
前記埋込具は、
板材により形成され前記ベース部に取り付けられた基部と、
前記基部の端部に連結し前記基部に対する一方の側に延出する複数の脚部と、
前記複数の脚部それぞれの先端に連結して外方に張り出す複数の鍔部と、
前記複数の脚部それぞれにおける一側端部に連結しその連結部から前記脚部の延在面に対して内方に延出すると共に先端部に前記基部から遠ざかる方向に延出する延出部を有する複数の腕部と、
を備えていることを特徴とするボード埋込装置。
【請求項５】
前記腕部の内側面と前記ベース部との間に所定の空間を形成するよう前記ベース部における前記内側面に対向する部位に空間形成部が設けられていることを特徴とする請求項４記載のボード埋込装置。
【請求項６】
カメラを搭載したベース部と、光透過性を有し前記ベース部に着脱自在とされたドーム部と、前記ベース部に取り付けられた埋込具と、を具備し、ボードに設けられた孔に埋め込まれて使用されるドームカメラにおいて、
前記埋込具は、
板材により形成され前記本体部に取り付けられた基部と、
前記基部の端部に連結し前記基部に対する一方の側に延出する複数の脚部と、
前記複数の脚部それぞれの先端に連結して外方に張り出す複数の鍔部と、
前記複数の脚部それぞれにおける一側端部に連結しその連結部から前記脚部の延在面に対して内方に延出すると共に先端部に前記基部から遠ざかる方向に延出する延出部を有する複数の腕部と、
を備えていることを特徴とするドームカメラ。
【請求項７】
前記腕部の内側面と前記ベース部との間に所定の空間を形成するよう前記ベース部における前記内側面に対向する部位に空間形成部が設けられていることを特徴とする請求項６記載のドームカメラ。
【発明の詳細な説明】
【技術分野】
【０００１】
本発明は、ボード埋込装置の埋込具，ボード埋込装置，及びドームカメラに関する。
【背景技術】
【０００２】
部屋やホールなどの天井ボードや側壁ボードに埋め込むように取り付けて使用する電気装置または電子装置が知られている。
それらの装置の例として照明器具、スピーカ、空調機、ドームカメラなどがある。
これらの装置は、ボードに予め設けられた孔に対し、専用の埋込具またはその装置に備えられた埋込用の部材を介して埋め込むように取り付けられる。
天井埋込装置及び埋込構造の具体的な例が特許文献１に記載されている。
【先行技術文献】
【特許文献】
【０００３】
【特許文献１】特開２０００−２４４７８２号公報
【発明の概要】
【発明が解決しようとする課題】
【０００４】
特許文献１に示されるような従来の天井埋込装置（ドームカメラ）及び埋込構造によれば、天井ボードに設けられた孔に挿入された際に天井ボードを室内側から挟むための下側挟持板を一対有する埋込具本体と、この埋込具本体とは別部材として形成され天井ボードを天井裏側から挟むための上側挟持板と、を締結ネジにより天井ボードを挟み込むように締め付けることで埋込部本体を天井ボードに固定する。埋込具本体には複数箇所に雌ねじが形成されており、この雌ねじを利用して天井埋込装置をねじ固定することで、天井埋込装置を、埋込部本体を介して天井ボードに固定するようになっている。
【０００５】
しかしながら、この埋込構造においては、ねじの締め付け作業が必要となる。この作業は、ボードが天井ボードの場合、ねじを室内側から上方の天井に向けてねじ込む作業であり、さらに高所で行うことから作業が難しく、作業者の姿勢も不安定となるので、良好なねじ込みを行い難いという課題がある。
【０００６】
ボードが壁面ボードの場合も、水平方向のねじ込み作業となるので作業は必ずしも容易ではなく、また、高所での作業となる場合もあるので、天井ボードの場合と同様の問題が生じ得る。
【０００７】
また、ボード埋込装置を取り付けるための取り付けねじは、ボードが厚い場合の取り付けも考慮して長いものを使用する必要があるので、作業におけるねじの締め付け時間が長くなって作業効率向上を妨げるという問題が生じる。
【０００８】
そこで、本発明が解決しようとする課題は、埋込具をボードに埋め込む埋込作業が容易であり、埋込作業を良好に実行でき、埋込作業をボードの厚さによらず高い作業効率で行えるボード埋込装置のボード埋込具を提供する。
また、埋込部材を備えたボード埋込装置及びドームカメラにおいて、埋込部材を介したボードへの埋込作業が容易であり、埋込作業を良好に実行でき、埋込作業をボードの厚さによらず高い作業効率で行えるボード埋込装置及びドームカメラを提供する。
【課題を解決するための手段】
【０００９】
上記の課題を解決するために、本願発明は手段として次の１）〜７）の構成を有する。
１）  ボード埋込装置(60)をボード(301)に設けられた孔(302)に埋め込むためのボード埋込装置の埋込具であって、
板材により形成され前記ボード埋込装置を装着する装着手段（51a）を有する基部(51)と、
前記基部(51)の端部に連結し前記基部(51)に対する一方の側に延出する複数の脚部(52)と、
前記複数の脚部(52)それぞれの先端に連結して外方に張り出す複数の鍔部(53)と、
前記複数の脚部(52)それぞれにおける一側端部(52a)に連結しその連結部(54b)から前記脚部(52)の延在面に対して内方に延出すると共に先端部に前記基部(51)から遠ざかる方向に延出する延出部(55)を有する複数の腕部(54)と、
を備えたことを特徴とするボード埋込装置の埋込具(50)である。
２）  前記連結部(54b)は、前記腕部(54)の前記脚部(52)に対する折り曲げを容易にする折り曲げ容易部(54c)を有することを特徴とする１）に記載のボード埋込装置の埋込具(50)である。
３）  前記延出部(55)は、部分的に断面積が小さい屈曲誘導部(601〜604)が形成されていることを特徴とする２）に記載のボード埋込装置の埋込具(50)である。
４）  電気部品または電子部品を搭載したベース部(600a)と、前記ベース部(600a)に取り付けられた埋込具(500)と、を具備し、ボード(301)に設けられた孔(302)に埋め込まれるボード埋込装置において、
前記埋込具(500)は、
板材により形成され前記ベース部に取り付けられた基部(51)と、
前記基部の(51)端部に連結し前記基部(51)に対する一方の側に延出する複数の脚部(52)と、
前記複数の脚部(52)それぞれの先端に連結して外方に張り出す複数の鍔部(53)と、
前記複数の脚部(52)それぞれにおける一側端部(52a)に連結しその連結部(54b)から前記脚部(52)の延在面に対して内方に延出すると共に先端部に前記基部(51)から遠ざかる方向に延出する延出部(55)を有する複数の腕部(54)と、
を備えていることを特徴とするボード埋込装置(600)である。
５）  前記腕部(54)の内側面と前記ベース部(600a)との間に所定の空間(S)を形成するよう前記ベース部(600a)における前記内側面に対向する部位に空間形成部(600a1)が設けられていることを特徴とする４）に記載のボード埋込装置(600)である。
６）  カメラ(600c)を搭載したベース部(600a)と、光透過性を有し前記ベース部(600a)に着脱自在とされたドーム部(600b)と、前記ベース部(600b)に取り付けられた埋込具(500)と、を具備し、ボード(301)に設けられた孔(302)に埋め込まれて使用されるドームカメラにおいて、
前記埋込具(500)は、
板材により形成され前記ベース部に取り付けられた基部(51)と、
前記基部の(51)端部に連結し前記基部(51)に対する一方の側に延出する複数の脚部(52)と、
前記複数の脚部(52)それぞれの先端に連結して外方に張り出す複数の鍔部(53)と、
前記複数の脚部(52)それぞれにおける一側端部(52a)に連結しその連結部(54b)から前記脚部(52)の延在面に対して内方に延出すると共に先端部に前記基部(51)から遠ざかる方向に延出する延出部(55)を有する複数の腕部(54)と、
を備えていることを特徴とするドームカメラ(600)である。
７）  前記腕部(54)の内側面と前記ベース部(600a)との間に所定の空間(S)を形成するよう前記ベース部(600a)における前記内側面に対向する部位に空間形成部(600a1)が設けられていることを特徴とする６）に記載のドームカメラ(600)である。
【発明の効果】
【００１０】
本発明によれば、ボード埋込具をボードに埋め込む埋込作業が容易であり、良好に実行でき、ボードの厚さによらず高い作業効率で行えるという効果を奏する。
また、ボード埋込部材を備えたボード埋込装置及びドームカメラにおいて、ボード埋込部材を介したボードへの埋込作業が容易であり、良好に実行でき、ボードの厚さによらず高い作業効率で行えるという効果を奏する。
【図面の簡単な説明】
【００１１】
【図１】本発明のボード埋込装置の埋込具の実施例を示す三面図である。
【図２】本発明のボード埋込装置の埋込具の実施例を示す斜視図である。
【図３】本発明のボード埋込装置の埋込具の実施例をボードに埋め込む作業を説明するための第１の図である。
【図４】本発明のボード埋込装置の埋込具の実施例をボードに埋め込む作業を説明するための第２の図である。
【図５】本発明のボード埋込装置の埋込具の実施例をボードに埋め込んだ状態を説明するための断面図である。
【図６】本発明のボード埋込装置の実施例を示す斜視図である。
【図７】本発明のボード埋込装置の埋込具の実施例を説明するための部分拡大斜視図である。
【図８】本発明のボード埋込装置の埋込具における実施例の変形例を説明するための図である。
【図９】本発明のボード埋込装置の埋込具における実施例の他の変形例を説明するための斜視図である。
【図１０】本発明のボード埋込装置の埋込具における実施例の別の変形例を説明するための部分斜視図である。
【発明を実施するための形態】
【００１２】
本発明の実施の形態を、好ましい実施例により図１〜図１０を用いて説明する。
【００１３】
図１は、本発明のボード埋込装置の埋込具の実施例を示す三面図であり、図１（ａ）が平面図、図１（ｂ）が側面図、図１（ｃ）が天面図である。
図２は、本発明のボード埋込装置の埋込具の実施例を示す斜視図である。
【００１４】
この実施例の埋込具５０は、金属の板材をプレス加工して形成される。材料例としては、鉄板であり、その厚さは例えば０．８ｍｍである。防錆などのためメッキ処理されていると良い。
【００１５】
埋込具５０は、平板状の基部５１と、基部５１の両端部から一方の側に向けほぼ直角に屈曲した一対の脚部５２，５２と、各脚部５２の先端から互いに同一平面上に延在するようそれぞれ外方向に折り曲げられた鍔部５３と、を有している。
この例では、各鍔部５３は基部５１と略平行とされている。
鍔部５３の最外端部５３ａは、中央が外方に最も突出する弧状に形成されている。
【００１６】
また、各脚部５２における側端部のうちの一方の側端部５２ａには、各脚部５２の外側面に対して角度θ１で内方に向かって折り曲げられた腕部５４が形成されている。この例では他方の脚部５２に向かうように折り曲げられている。
【００１７】
腕部５４について詳しく説明すると、腕部５４は、基部５１側において所定の幅Ｗ１及び所定の延出長さＬ１を有し、連結部５４ｂで脚部５２に連結するように設けられている。
また、腕部５４は、その先端側に、鍔部５３に向かうよう延出する延出部５５を有しており、腕部５４全体として図１や図２に示すようにＬ字状を呈する。
【００１８】
基部５１には、この埋込具５０に取り付けるボード埋込装置の装着手段として雌ねじ５１ａが一対形成されている。
【００１９】
図１（ａ）に示すように、脚部５２と腕部５４とがなす角度θ１は、基部５１における各脚部５２が連結する側の一対の隅部Ｐ１，Ｐ２を結ぶ線分Ｄｍ１を直径とする円ＣＲ１を設定した際に、この円ＣＲ１で囲まれる範囲内に腕部５４全体が含まれるように設定されている。
【００２０】
一方、各鍔部５３の最外端部５３ａの形状は、直径Ｄｍ１と同心の直径Ｄｍ２を有する円ＣＲ２の円弧とされている。
【００２１】
また、図１（ｂ）に示す距離Ｔ１、すなわち、腕部５４における延出部５５の先端部５５ａと鍔部５３の基部５１側の面である当て面５３ｂとの距離Ｔ１は、この埋込具５０を埋め込むことを想定した種々のボードの厚さの内の最小厚さよりも小さく設定されている。
また、図１（ｂ）に示す距離Ｔ２、すなわち、腕部５４が脚部５２に連結する幅Ｗ１の部分における基部５１とは反対側の端部５４ａと当て面５３ｂとの距離Ｔ２は、この埋込具５０を埋め込むことを想定した種々のボードの厚さの内の最大厚さよりも大きく設定されている。
【００２２】
次に、埋込具５０をボード３０１に埋め込む作業手順について図３及び図４を用いて説明する。
【００２３】
図３に示すように、ボード３０１に、取り付け用の孔として円形の埋込孔３０２を予め形成しておく。
埋込具５０を埋め込む埋込孔３０２は円形である必要はないが、作業効率上、円形の孔とするのが好ましい。少なくとも、基部５１が通過し鍔部５３ｂが通過できない部分がある形状であればよい。
【００２４】
埋込孔３０２の直径φａは、埋込具５０の基部５１における一対の隅部Ｐ１，Ｐ２を結ぶ線分Ｄｍ１よりも大きく、かつ、各鍔部５３の外端部５３ａの形状を円弧とする円ＣＲ２の直径Ｄｍ２よりも小さく設定する。
すなわち、Ｄｍ１＜φａ＜Ｄｍ２  である。
これにより、埋込孔３０２に埋込具５０の基部５１を挿入することができる。
【００２５】
また、埋込孔３０２に基部５１を挿入した際に、各鍔部５３の当て面５３ｂがボード３０１の表面３０１ｂに当接するので、ボード３０１に対する埋込具５０の矢印Ｄ１方向の挿入限度位置が規定される。
また、腕部５４の延出長さＬ１は、φａ＜Ｄｍ１＋２×Ｌ１となるように設定されている。
これにより、詳しくは後述するが、腕部５４を変形させた際に、腕部５４の延出部５４をボード３０１の裏面３０１ａ側に当接させることができる。
【００２６】
埋め込み作業の手順において、まず、埋込孔３０２に対して埋込具５０を挿入する挿入作業を行う。
【００２７】
図３は、ボード３０１が天井ボードの場合に、天井裏側から見た斜視図である。以下、便宜的にこの天井裏側の面を裏面３０１ａとし、反対側の面を表面３０１ｂと称することにする。
【００２８】
図３に示すように、埋込具５０を、埋込孔３０２に対し、表面３０１ｂ側から矢印Ｄ１方向に挿入する。この挿入は、ボード３０１の表面３０１ｂに鍔部５３の当て面５３ｂが当接するまで行う。
この状態を挿入完了状態と称することにする。
図３は、この挿入完了状態を示した斜視図である。
【００２９】
挿入完了状態において、腕部５４における延出部５５の先端部５５ａの挿入方向（Ｄ１方向）の位置は、距離Ｔ１が、この埋込具５０を埋め込むことを想定した種々のボードの厚さの内の最小厚さよりも小さく設定されているため、ボード３０１の裏面３０１に達せず、裏面３０１ａから距離Ｔ１１だけ離れた埋込孔３０２の端面の途中にある。
【００３０】
また、腕部５４における端部５４ａの挿入方向（Ｄ１方向）の位置は、距離Ｔ２が、この埋込具５０を埋め込むことを想定した種々のボードの厚さの内の最大厚さよりも大きく設定されているため、ボード３０１の裏面３０１ａを越え、裏面３０１ａから距離Ｔ２２の位置にある。
【００３１】
次に、埋込孔３０２に挿入した埋込具５０のボード３０１への固定作業を行う。
すなわち、図４に示すように、腕部５４を、指または工具（ドライバの柄）などで互いに外側に開く方向（矢印Ｂの方向）に折り曲げる。
換言するならば、腕部５４は、人の手の力で外側に開く方向に折り曲げられるように形成されている。
【００３２】
この折り曲げ作業について詳述する。
折り曲げ初期において腕部５４をある角度だけ折り曲げると、延出部５５の先端側が埋込孔３０２の端面に当接する。
そこからさらに力を付与して腕部５４を折り曲げようとすると、延出部５５の図４の矢印Ｃ方向への屈曲が開始する。
すなわち、延出部５５は、脚部５２を人の手で折り曲げる際に、それを妨げるよう延出部５５に対して付与される抗力に屈して変形するように形成されている。
【００３３】
この屈曲が進行し、延出部５５の先端部５５ｂ位置が埋込孔３０２を越えボード３０１の裏面３０１ａ側に抜けると、先端部５５ｂと埋込孔３０２との当接抵抗が解除されてより少ない折り曲げ抵抗で折り曲げが進行する。
そして、図４に示すように、先端部５５ｂの全体がボード３０１の裏面３０１ａに乗り上げるところまで折り曲げたら折り曲げ作業を終了する。
この折り曲げにより腕部５４の根本である脚部５２との連結部５４ｂ近傍は塑性変形する。
【００３４】
延出部５５の屈曲については、距離Ｔ１１が所定値より大きい場合は塑性変形となり、小さい場合は弾性変形となる。
弾性変形の場合、屈曲した延出部５５が弾性反発力によりボード３０１の裏面３０１ｂを付勢する。
また塑性変形の場合であっても、屈曲した延出部５５がそのスプリングバックによりボード３０１の裏面３０１ｂを付勢するようにすることもできる。
【００３５】
いずれの場合においても、折り曲げ作業終了後において、埋込具５０は、その延出部５５の先端部５５ａがボード３０１の裏面３０１ａに当接し、延出部５５と鍔部５３の当て面５３ｂとでボード３０１を挟持することによりボード３０１に装着される。
【００３６】
この状態を図５に示す。図５は、図４における埋込具５０とボード３０１とを、埋込具５０の隅部Ｐ１，Ｐ２を通る直線で切断した状態を示すＳ１−Ｓ１断面図である。
【００３７】
さらに、ボード３０１への埋込が完了した埋込具５０に対して、所望のボード埋込装置を装着することができる。ボード埋込装置は内部に電気部品または電子部品を搭載したものであり、例として照明器具，スピーカ，空調機，無線機器，カメラなどがある。
以下、ボード埋込装置としてドームカメラ６０を装着する例を説明する。
【００３８】
図５に示すように、ドームカメラ６０は、カメラ部６０ｃを備えたベース部６０ａと、光透過性を有しベース部６０ａに着脱自在とされたドームカバー６０ｂとを有して構成される。
【００３９】
まず、天井裏に引き回された電源コードや信号ケーブル（図示せず）をベース部６０ａに接続する。そしてベース部６０ａのみを、ボード３０１の表面３０１ｂ側から埋込具５０の基部５１に向け矢印Ｄ２方向に挿入する。
ベース部６０ａには、基部５１に設けられた装着手段である雌ねじ５１ａに対応した孔が設けられており、雄ねじ６１をこの孔を介して雌ねじ５１ａに螺合させることでベース部６０ａは埋込具５０にねじ止めされる。
次いで、埋込具５０に固定されたベース部６０ａにドームカバー６０ｂを取り付ける。これによりドームカメラ６０がボード３０１に装着される。
【００４０】
上述した埋込具５０は独立した部材であるが、ボード埋込装置にこの埋込具に相当する埋込具を予め備えさせてもよい。これについて図６を用いて説明する。
【００４１】
図６に、本発明のボード埋込装置の実施例を示す。このボード埋込装置の例としてドームカメラ６００を説明する。
【００４２】
ドームカメラ６００は、カメラ部６００ｃを備えたベース部６００ａと、ベース部６００ｂに取り付けられる透明のドームカバー６００ｂと、ベース部６００ａに固定手段（例えばねじ）６１０により固定された実施例の埋込具５０と、を有して構成されている。ベース部６００ａは、電源コードや信号ケーブルを接続するための端子部６００ａ２を備えている。
【００４３】
上述したように、埋込孔３０２への挿入作業の後の折り曲げ作業において、腕部５４を指などで折り曲げられるように、少なくともベース部６００ａには、指Ｆを矢印Ｄ３の方向で腕部５４の内面側に挿入して腕部５４を外方に折り曲げられるようにする空間Ｓを得るための空間形成部６００ａ１が、各腕部５４の位置に対応して形成されている。具体的には、この実施例において、空間形成部６００ａ１はベース部６００ａの外周面に設けられた凹部（６００ａ１）である。
図６はドームカバー６００ｂを装着した状態を示しているが、折り曲げ作業時にはドームカバー６００ｂはまだ取り付けていないので、空間Ｓに指を挿入することができる。
【００４４】
このような構成により、このドームカメラ６００の埋込孔３０２への装着は、上述の埋込具５０の埋込作業と同様の作業で行うことができる。
【００４５】
実施例の埋込具５０は、指で塑性変形させることができる程度に薄い、または軟らかい材質の金属板で形成される。
一方、ボード埋込装置６０，６００が大型、または重量物である場合、その装置を支持する埋込具５０は有る程度の剛性が必要となる。
そのため、充分な剛性を得られる厚めの板厚を選択し、塑性変形させる部分については容易に変形させることができるような工夫をしてもよい。
その工夫について具体的に説明する。
【００４６】
図７を用い、この腕部５４の折り曲げ作業を容易にするための工夫の例について説明する。具体的には連結部５４ｂに折り曲げ容易部を設けている。
図７（ａ）は、腕部５４の連結部５４ｂに折り曲げ容易部としてスリット５４ｃを設けた例である。これにより折り曲げる部分の断面積が減少するので、塑性変形させるために必要な力を小さくすることができる。
図７（ｂ）は、腕部５４の連結部５４ｂの内側（紙面反対側）に折り曲げ容易部として凹み５４ｄを設けた例である。
内側に凹み５４ｄを設けることで、外側へ開く折り曲げを塑性変形で行うための力を小さくすることができる。
【００４７】
このように、実施例の埋込具５０及びボード埋込装置６００は、埋込孔３０２に対して、挿入作業と折り曲げ作業とを実行するだけであり、ねじ込み作業を伴わないので、容易にボード３０１に取り付けることができる。
また、作業自体も簡単であり、工具を使うことなく手だけで作業が完了するので、作業が高所であっても楽な姿勢で無理なく作業を行うことができる。
また、延出部５５がボード３０１の厚さに応じた変形をするので、ボードの厚さによらず高い作業効率で埋込作業を行うことができる。
各腕部５４の延出部５５はそれぞれ独立して屈曲するものである。
従って、ボード３０１は、その表面３０１ｂと裏面３０１ａとが平行で無くても埋込具５０を埋込孔３０２に取り付けることができる。また、表面３０１ｂは平面であることが望まれる一方、裏面３０１ａは平面でなくてもよく、延出部５５が屈曲できる範囲として想定されたボード３０１の板厚の範囲内で凹凸を有していてもよい。
【００４８】
本発明の実施例は、上述した構成及び手順に限定されるものではなく、本発明の要旨を逸脱しない範囲において変形例としてもよいのは言うまでもない。
【００４９】
実施例の埋込具５０の第１の変形例として、延出部５５の屈曲を容易にする複数例を図８に示す。図８は、腕部５４のみを示した図である。
【００５０】
図８（ａ）は、延出部５５の延在方向に沿うＵ字状のスリット６０１を設けた例である。
図８（ｂ）は、延出部５５の延在方向に沿う複数本のスリット６０２を設けた例である。
図８（ｃ）は、延出部５５の延在方向に複数の開口部６０３を設けた例である。
図８（ｄ）は、延出部５５の幅を延在方向の所定範囲において細くした細幅部６０４を設けた例である。
【００５１】
スリット６０１，６０２，及び細幅部６０４は、延出部５５の延在方向における所定範囲Ｌ８において延出部５５の断面積を他の部位の断面積より小さくするものであり、範囲Ｌ８での屈曲を誘導する屈曲誘導部となる。
また、開口部６０３は、それを設けた部位の断面積を他の部位の断面積より小さくするものであり、開口部６０３での屈曲を誘導する屈曲誘導部となる。
また、図８（ｅ）は、延出部５５を、その根本から先端に向かうに従って幅が徐々に減少するように形成した例である。
この例の場合、ボード３０１の裏面３０１ａに当接する部位での屈曲が容易になる。
【００５２】
上述した実施例においては、脚部５２が一対のものを説明したが、脚部５２が３つ以上あってもよい。これを第２の変形例として図９を用いて説明する。
【００５３】
図９（ａ）は、脚部５２を３つ有した埋込具５０Ａを示している。３つの脚部５２は、互いに周方向に１２０°間隔で形成されるのが望ましい。
図９（ｂ）は、脚部５２を４つ有した埋込具５０Ｂを示している。４つの脚部５２は、互いに周方向に９０°間隔で形成されるのが望ましい。
脚部５２の数が多いほど埋込孔３０２に対する埋込強度が向上するので埋込具に取り付けるボード埋込装置の質量が大きい場合やサイズが大きい場合に用いるとよい。
【００５４】
実施例の埋込具５０の第３の変形例として、埋込孔３０２の中心と埋込具５０の中心とをより一致させ易くする例を図１０に示す。
図１０は、埋込具５０の脚部５２の一つについて示した部分斜視図であるが、各脚部５２とも同様の形状を有する。
【００５５】
各脚部５２には、それぞれ外側方向に突出し内外方向に弾性変形可能な舌片６０５が形成されている。
各舌片６０５の最大突出部位間距離Ｌ１０は、埋込孔３０２の想定最大内径より大きく設定されている。
従って、埋込具５０を埋込孔３０２に挿入する際には、舌片６０５を内方へ撓ませることで挿入が開始され、さらに各舌片６０５が埋込孔３０２の内壁を広げる方向に付勢しつつ挿入が進行するので、埋込具５０の中心がおのずと埋込孔３０２の中心に一致するよう誘導される。
【００５６】
この舌片６０５を設けることで、埋込具５０に装着されたボード埋込装置の中心と埋込孔３０２の中心とが良好に一致し、ボード３０１に対する位置精度のよい埋込作業を行うことができる。
これにより、例えば、ボード３０１に複数のボード埋込装置を整列配置する場合に、各装置がずれることなく高品位に設置することが可能となる。
【００５７】
ここで説明した舌片６０５は、脚部５２が３つ以上ある埋込具（例えば上述の埋込具５０Ａ，５０Ｂ）に設けてももちろんよい。
その場合は、最大突出部位間距離Ｌ１０の代わりに、各舌片６０５の最大突出部を結ぶ円の直径を、埋込孔３０２の想定最大内径よりも大きく設定すればよい。
【００５８】
実施例及び変形例では、基部５１と脚部５２と鍔部５３とが一つの部材で形成された例を説明したが、それぞれが別体として形成され互いに溶接、接着などにより一体化したものであってもよい。
少なくとも、脚部５２と腕部５４とが同一部材であればよい。
上述した実施例や各変形例は自由に組み合わせて適用することができる。
【００５９】
埋込具５０の材料として鉄板を説明したが、鉄板に限るものではない。また、金属に限るものではない。
埋込具５０の材料は、腕部５４や延出部５５がその折り曲げや屈曲の際に折れるたり割れたりすることなく塑性変形する材料であればよい。
【符号の説明】
【００６０】
５０，５００  埋込具
５１  基部
５２  脚部
５２ａ  側端部
５３  鍔部
５３ａ  最外端部
５３ｂ  当て面
５４  腕部
５４ａ  端部
５４ｂ  連結部
５４ｃ  スリット
５４ｃ  スリット
５４ｄ  凹み
５５  延出部
５５ａ  先端部
６０，６００  ボード埋込装置（ドームカメラ）
６０ａ，６００ａ  ベース部
６０ｂ，６００ｂ  ドームカバー
３０１  ボード
３０１ａ  裏面
３０１ｂ  表面
３０２  埋込孔
６００ａ１  凹部
６００ａ２  端子部
６０１，６０２  スリット
６０３  開口部
６０４  細幅部
【図１】
2010177857.tif 000003
【図２】
2010177857.tif 000004
【図３】
2010177857.tif 000005
【図４】
2010177857.tif 000006
【図５】
2010177857.tif 000007
【図６】
2010177857.tif 000008
【図７】
2010177857.tif 000009
【図８】
2010177857.tif 000010
【図９】
2010177857.tif 000011
【図１０】
2010177857.tif 000012